(57)【要約】【課題】外科手術等に用いられ一本のワイヤにより形成される医療用の止血クリップにおいて、屈曲する部分の間隔が短く、曲げ加工を行なうことが困難である。【解決手段】クリップ１０は、挟持平面上で開閉する一対の挟持脚１２と、鉗子（図示せず）に把持される鉗子把持部１４とを有する。鉗子把持部１４は、一方の挟持脚１２ａの一端から伸び出して、一方の挟持脚１２ａと交差して他方の挟持端１２ｂに連結している。鉗子把持部１４の終端１４ａと他方の挟持脚１２ｂとを連結するために、それらの間には、終端１４ａから鉗子把持部１４方向に所定の長さ伸び、かつ伸長端で１８０度折れ曲がって他方の挟持脚１２ｂの一端に戻ってそれと連結するＵベント１６が設けられている。これにより、屈曲する部分の間隔が長くなるので、曲げ加工を容易に行なうことができる。【選択図】図３
0003135145.tif 000002
【実用新案登録請求の範囲】
【請求項１】
一本のワイヤにより形成され、
挟持平面上で開閉する一対の挟持脚と、
鉗子に把持される、一方の挟持脚の一端から伸び出してバネ性を持った鉗子把持部であって、一方の挟持脚と交差して他方の挟持脚に連結する鉗子把持部と、
を有し、
鉗子が前記鉗子把持部を把持することで一対の挟持脚が開き、把持する力を解くことで一対の挟持脚が閉じて血管を挟持する医療用の止血クリップにおいて、
前記挟持平面からほぼワイヤ径分シフトした前記鉗子把持部の終端と前記挟持平面上にある他方の挟持脚とを連結するために、前記鉗子把持部の終端から前記鉗子把持部方向に所定の長さ伸び、かつ伸長端で１８０度折れ曲がって他方の挟持脚の一端に戻って他方の挟持脚と連結するＵベントを含む、
ことを特徴とする医療用の止血クリップ。
【請求項２】
請求項１に記載の医療用の止血クリップであって、
鉗子が前記鉗子把持部を把持したときに、前記Ｕベントが、前記鉗子把持部を把持する鉗子の把持部に当接し、それより一対の挟持脚が開かないように規制する、
ことを特徴とする医療用の止血クリップ。
【考案の詳細な説明】
【技術分野】
【０００１】
本発明は、医療用の止血クリップ、特に外科手術等において細い血管の血流を遮断するときに用いられる一次止血用のクリップの改良に関する。
【背景技術】
【０００２】
従来から、医療用の止血クリップは、外科手術等において、動脈及び静脈などの血管の血流を遮断して止血するために使用される。医療用の止血クリップにおいては、細い血管を一次止血する場合、手術野が小さく、かつ血管の径が小さいことを考慮して、一本のワイヤによって小さく（例えば１０〜２０ｍｍ）形成される例がある。
【０００３】
図１及び図２には、一本のワイヤにより形成された医療用の止血クリップ１００が示されている。医療用の止血クリップ１００は、挟持平面上で開閉する一対の挟持脚１０２と、鉗子（図示せず）に把持される鉗子把持部１０４とを有する。挟持平面とは、一対の挟持脚１０２の各軸芯を含むように規定される平面のことである。鉗子把持部１０４は、一方の挟持脚１０２ａの一端から伸び出して、これをループ状に巻いて他方の挟持脚１０２ｂに連結している。鉗子把持部１０４はバネ性を有しており、鉗子から鉗子把持部１０４に把持する方向（図２の矢印Ａ方向）へ力を加えることで一対の挟持脚１０２が開き、鉗子からの力を解くことで鉗子把持部１０４の弾性により一対の鉗子脚１０２が閉じて血管を挟持する。
【０００４】
図１及び図２に示されるように、他方の挟持部１０２ｂに連結する鉗子把持部１０４の終端１０４ａは、一方の挟持脚１０２ａと交差している。他方の挟持脚１０２ｂが挟持平面上にあるため、鉗子把持部１０４の終端１０４ａは挟持平面からほぼワイヤ径分シフトしている状態である。この終端１０４ａと挟持平面上にある他方の挟持脚１０２ｂとを連結するために、それらの間にはワイヤを２箇所連続して屈曲させた屈曲部１０６が設けられている。
【考案の開示】
【考案が解決しようとする課題】
【０００５】
前述のような一本のワイヤにより形成される医療用の止血クリップ１００は、ワイヤを曲げ加工して製造される。曲げ加工においては、屈曲部１０６のような短い領域でワイヤを連続して屈曲させることが困難であり、精度を損なう可能性があった。屈曲部１０６の曲げの精度を損なう場合、一対の挟持脚１０２の閉状態が不完全になってしまうという問題があった。
【０００６】
本考案の目的は、一本のワイヤにより形成される医療用の止血クリップであって、加工しやすく、挟持脚を確実に閉状態にすることができる医療用の止血クリップを提供することにある。
【課題を解決するための手段】
【０００７】
本考案は、一本のワイヤにより形成され、挟持平面上で開閉する一対の挟持脚と、鉗子に把持される、一方の挟持脚の一端から伸び出してバネ性を持った鉗子把持部であって、一方の挟持脚と交差して他方の挟持脚に連結する鉗子把持部と、を有し、鉗子が前記鉗子把持部を把持することで一対の挟持脚が開き、把持する力を解くことで一対の挟持脚が閉じて血管を挟持する医療用の止血クリップにおいて、前記挟持平面からほぼワイヤ径分シフトした前記鉗子把持部の終端と前記挟持平面上にある他方の挟持脚とを連結するために、前記鉗子把持部の終端から前記鉗子把持部方向に所定の長さ伸び、かつ伸長端で１８０度折れ曲がって他方の挟持脚の一端に戻って他方の挟持脚と連結するＵベントを含むことを特徴とする。
【０００８】
また、鉗子が前記鉗子把持部を把持したときに、前記Ｕベントが、前記鉗子把持部を把持する鉗子の把持部に当接し、それより一対の挟持脚が開かないように規制することもできる。
【考案の効果】
【０００９】
本考案の医療用の止血クリップは、一本のワイヤにより形成される医療用の止血クリップであって、加工しやすく、挟持脚を確実に閉状態にすることができる。
【考案を実施するための最良の形態】
【００１０】
本考案に係る医療用の止血クリップの実施形態について、図３及び図４を用いて説明する。図３は、本実施形態の医療用の止血クリップ１０の構成を示す斜視図であり、図４は、図３のＢ方向から見た図である。
【００１１】
医療用の止血クリップ（以降、クリップと記す）１０は、耐蝕性に優れた金属、例えばステンレス製またはチタン製の一本のワイヤを折り曲げて形成される。クリップ１０は、挟持平面上で開閉する一対の挟持脚１２と、後述する鉗子に把持される鉗子把持部１４とを有する。挟持平面とは、前述したように一対の挟持脚１２の各軸芯を含むように規定される平面のことである。
【００１２】
鉗子把持部１４は、一方の挟持脚１２ａの一端から伸び出して、これをループ状に巻いて他方の挟持脚１２ｂに連結している。鉗子把持部１４は、バネ性を有しており、鉗子から鉗子把持部１４に力を加えることで一対の挟持脚１２が開き、鉗子からの力を解くことで鉗子把持部１４の弾性により一対の鉗子脚１２が閉じて血管を挟持する。
【００１３】
図３及び図４に示されるように、他方の挟持部１２ｂに連結する鉗子把持部１４の終端１４ａは、一方の挟持脚１２ａと交差している。交差している場所においては、他方の挟持脚１２ｂが挟持平面上にあるので、鉗子把持部１４の終端１４ａは挟持平面からほぼワイヤ径分シフトしている状態である。
【００１４】
本考案に係るクリップ１０においては、挟持平面からほぼワイヤ径分シフトした鉗子把持部１４の終端１４ａと、挟持平面上にある他方の挟持脚１２ｂとを連結するために、それらの間にワイヤを１８０度折り曲げたＵベント１６が設けられている。詳しく説明すると、鉗子把持部１４の終端１４ａと他方の挟持脚１２ｂとの間には、その終端１４ａから鉗子把持部１４方向に所定の長さ伸び、かつ、伸長端で１８０度折れ曲がって他方の挟持脚１２ｂの一端に戻りそれと連結するＵベント１６が設けられている。なお、本実施形態において、鉗子把持部１４方向とは、他方の挟持脚１２ｂに対し反対側の方向のことである。
【００１５】
このような構成からなるクリップ１０においては、鉗子把持部１４の終端１４ａから所定の長さをおいてワイヤを折り曲げてＵベントを形成しているので、ワイヤの各屈曲部間には充分な長さの伸長部を確保することができ、従来の屈曲部１０６のようなワイヤを連続して屈曲させる領域がない。よって、鉗子把持部１４の終端１４ａと他方の挟持脚１２ｂとを連結する部分の曲げ加工を行なうことが容易になり、加工の精度が向上する。その結果、一対の挟持脚１２を精度よく調整された閉状態にすることができ、クリップ１０が血管を挟持した場合、確実に血流を遮断して止血することができる。
【００１６】
図５は、本発明に係るクリップ１０の別の実施形態を示すものである。なお、この実施形態のクリップ１０の基本的な構成は前述した実施形態と同様である。
【００１７】
前述した実施形態においては、鉗子把持部１４方向とは、他方の挟持脚１２ｂに対し反対側の方向のことである場合について説明したが、この実施形態においては、他の挟持脚１２ｂに対して鈍角の方向のことである。
【００１８】
Ｕベント１６は、鉗子把持部１４の終端１４ａと、屈曲した他方の挟持脚１２ｂの一端とから所定の長さをおいてワイヤを折り曲げて形成されており、前の実施形態と同様に、ワイヤの各屈曲部間には充分な長さの伸長部を確保することができる。よって、曲げ加工を容易に行なうことができ、加工精度の向上が可能となる。
【００１９】
次に、本実施形態の鉗子２０について、図６を用いて説明する。鉗子２０は、一般的な手術用の鉗子と同様に、一対のはさみ部材２２を交差させ、その交点が軸２４により回転可能に支持されて構成される。一対のはさみ部材２２は、その前部（図６において右方）にクリップ１０を把持する把持部３０をそれぞれ有し、その後部（図６において左方）に握りやすい滑り止め付きの操作部２６をそれぞれ有する。一対のはさみ部材２２の後端には、連結部２８が設けられ、連結部２８が一対のはさみ部材２２を一体に連結している。一対の操作部３０の後部から連結部２８の間は、バネ性を有しており、このバネ性により対向する把持部３０が開くように付勢される。
【００２０】
把持部３０の形状について図７を用いて説明する。図７に示される把持部３０は、図６の鉗子２０を前方（図６において左方）から見たものである。なお、図中、左側の把持部３０と中央の把持部３０とはそれぞれ形状が異なり、中央の把持部３０と右側の把持部３０とは同じ形状である。
【００２１】
図７の左側に位置する一対の把持部３０は、それぞれ対向する内面に、クリップ１０の鉗子把持部１４が受け入れられ嵌ることができる凹部３２を有する。凹部３２は、略Ｖ字形状であり、この略Ｖ字形状は、鉗子把持部１４の大きさ、すなわちワイヤ径より大きい幅から徐々に狭くなるように形成されている。これにより、把持部３０が鉗子把持部１４に対し多少ずれた状態で把持するときでも、略Ｖ字形状の凹部３２の頂点の部分、すなわち把持部３０の中心部に鉗子把持部１４が摺動するので、鉗子２０がクリップ１０を確実に把持することが可能となる。
【００２２】
図７の中央に位置する一対の把持部３０には、それぞれ対向する内面に、前述した凹部３２が３個並んで形成されている。この一対の把持部３０においては、それぞれ真ん中の凹部３２に鉗子把持部１４が嵌り、クリップ１０が把持されていることが分かる。また、図７の右側に位置する一対の把持部３０にも、図７の中央に位置する一対の把持部３０と同様に、それぞれ対向する内面に、凹部３２が３個並んで形成されている。この一対の把持部３０においては、図面の上部左側の凹部３２と図面の下部右側の凹部３２とに鉗子把持部１４が嵌り、クリップ１０が傾いて把持されていることが分かる。この実施形態の把持部３０によれば、血管を挟持しているクリップ１０を把持する際に、鉗子２０の把持部３０がクリップ１０に対して適正な位置（角度）にない場合であっても、その位置の状態でクリップ１０を把持することができる。その結果、鉗子把持部１４の摺動によって血管をねじってしまい、血管を傷付けてしまうことを防止することができる。
【００２３】
本考案に係るクリップ１０においては、鉗子２０がクリップ１０を把持したとき、Ｕベント１６が、把持部３０に当接し、それより一対の挟持脚１２が開かないように規制することを特徴とする。
【００２４】
図８に示されるように、鉗子２０がクリップ１０を把持することにより、閉状態であった一対の挟持脚１２が開き、開状態となる。そして、一対の挟持脚１２の開度が所定の大きさになると、Ｕベント１６が把持部３０の内面である凹部３２に当接するので、そこで一対の挟持脚１２の開度が規制される。これにより、バネ性を有する鉗子挟持部１４が、鉗子２０により挟み潰されることが回避され、クリップ機能を損なうことが防止される。その結果、血管を不完全に挟持することを未然に防止することができる。
【図面の簡単な説明】
【００２５】
【図１】従来の医療用の止血クリップの構成を示す斜視図である。
【図２】従来の医療用の止血クリップの作用を示す図である。
【図３】本実施形態の医療用の止血クリップの構成を示す斜視図である。
【図４】図３のＢ方向から見た図である。
【図５】（Ａ），（Ｂ）は、本発明に係る医療用の止血クリップの別の実施形態を示す斜視図である。
【図６】鉗子の一実施形態を示す図である。
【図７】鉗子の把持部の形状を示す図である。
【図８】鉗子の把持部が医療用の止血クリップを把持したときの状態を示す図である。
【符号の説明】
【００２６】
１０  クリップ、１２  一対の挟持脚、１２ａ  一方の挟持脚、１２ｂ  他方の挟持脚、１４  鉗子把持部、１６  Ｕベント、２０  鉗子、２２  一対のはさみ部材、３０  把持部、３２  凹部。
【図１】
0003135145.tif 000003
【図２】
0003135145.tif 000004
【図３】
0003135145.tif 000005
【図４】
0003135145.tif 000006
【図５】
0003135145.tif 000007
【図６】
0003135145.tif 000008
【図７】
0003135145.tif 000009
【図８】
0003135145.tif 000010